(57)【要約】【課題】簡単な構成で、１枚の厚板のように見せるようにしたカウンターを提供する。【解決手段】天板１２１と天板の前縁から下方へ延出した前垂れ１２２とを備えたカウンター１２であって、天板１２１及び前垂れ１２２と同じ素材で成る側板１３を天板及び前垂れの端面１２１ａ，１２２ａ，１２３ａと面一となるように接合する。側板と天板及び前垂れとの接合境界線２０がカウンター側面に位置しており、側板１３が天板の下面から前垂れの下端までの長さを有するように形成されている。天板の端部の下側及び前垂れの端部の内側に側板を受容する凹部が設けられている。【選択図】図３
2008173196.tif 000002
【特許請求の範囲】
【請求項１】
天板とこの天板の前縁から下方に延出した前垂れとを備えたカウンターであって、
上記天板及び上記前垂れの素材と同様の素材で成る側板が上記天板及び上記前垂れの側端面と面一となるように接合されていて、上記側板と上記天板及び上記前垂れとの接合境界線がカウンター側面に位置しており、
上記側板が上記天板の下面から上記前垂れの下端までの長さを有するように形成されていることを特徴とする、カウンター。
【請求項２】
前記天板の端部の下側及び前記前垂れの端部の内側に前記側板を受容する凹部が設けられていることを特徴とする、請求項１に記載のカウンター。
【請求項３】
天板とこの天板の前縁から下方に延出した前垂れとを成形する工程と、
上記天板の端部の下側及び上記前垂れの端部の内側に凹部を形成する工程と、
上記天板及び上記前垂れと同じ素材で成る側板を上記凹部に接合する工程と、を含むことを特徴とする、カウンターの製造方法。
【請求項４】
前記天板にシンク孔又はコンロ孔を形成する際に生じる端材から前記側板を成形することを特徴とする、請求項３に記載のカウンターの製造方法。
【請求項５】
前記天板を成形する工程で前記天板を所定寸法より長い寸法で成形して、
上記天板を所定寸法に切断したときに生じる余剰部分から前記側板を成形することを特徴とする、請求項３に記載のカウンターの製造方法。
【請求項６】
前記凹部の幅が前記側板の厚さに等しいことを特徴とする、請求項３〜５の何れかに記載のカウンターの製造方法。
【発明の詳細な説明】
【技術分野】
【０００１】
本発明は、前垂れを備えたカウンター及びその製造方法に関するものである。
【背景技術】
【０００２】
従来のキッチンカウンター，調理用或いは食卓用などのカウンターは、天板の前縁から下方に延びる所謂前垂れを備えることで、前面から見たときに厚板の外観を呈する。しかしながら、このような前垂れはカウンターの側縁には設けられていないので、側面から見た場合には天板の厚さが露呈する。
【０００３】
これに対して、特許文献１には、キッチンカウンターの側面に対して僅かな間隔をおいてガラス体を配置して、このガラス体とカウンター側面との間に樹脂組成物を注入し硬化させることにより、樹脂組成物から成る側面エプロンを形成するようにした側面エプロンの成形方法が開示されている。この方法を用いて、キッチンカウンターの側面が樹脂組成物により覆われるようになっている。
【０００４】
特許文献２には、天板を一体成形したキッチンカウンターの側面に対して、水切り本体をその上端が天板面より上方へ突出するようにビス止めしたカウンター構造が開示されている。
【特許文献１】特開平０５−０５０４４７号公報
【特許文献２】実開平０６−０１２６７７号公報
【発明の開示】
【発明が解決しようとする課題】
【０００５】
ところで、特許文献１による側面エプロンの成形方法においては、カウンター上面にキッチンカウンターと樹脂組成物との境界線が継ぎ目として露出し、見栄えが悪い。さらに、樹脂組成物により側面エプロンを成形するには、成形型，ガラス体及び堰が必要になると共に、作業が煩雑になるばかりかコストも嵩む。
【０００６】
特許文献２のカウンター構造においては、水切り本体がカウンター上面より上方に突出することから、キッチンカウンターを１枚の厚板のように見せることはできない。
【０００７】
本発明は、以上の点に鑑みて創作されたものであり、簡単な構成により、１枚の厚板のように見せて重厚感を呈するようにしたカウンターを提供することを一目的とし、さらにその製造方法を提供することを他の目的としている。
【課題を解決するための手段】
【０００８】
上記一目的を達成するために、本発明は、天板とこの天板の前縁から下方に延出した前垂れとを備えたカウンターであって、天板及び前垂れと同じ素材で成る側板が天板及び前垂れの側端面と面一となるように接合されていて、側板と天板及び前垂れとの接合境界線がカウンター側面に位置しており、側板が天板の下面から前垂れの下端までの長さを有するように形成されていることを特徴としている。本発明において、「天板及び前垂れの素材と同様の素材」には、天板及び前垂れと同一の素材、即ち同じ素材から切り出して構成される態様の他、別個に製造して同じ或いは同様の色調を呈する素材、を含む。
本発明のカウンターにおいて、好ましくは、天板の端部の下側及び前垂れの端部の内側に側板を受容する凹部が設けられている。
【０００９】
上記他の目的を達成するために、本発明のカウンターの製造方法は、天板とこの天板の前縁から下方に延出した前垂れとを成形する工程と、天板の端部の下側及び前垂れの端部の内側に凹部を形成する工程と、天板及び前垂れと同じ素材で成る側板を凹部に固定する工程と、を含むことを特徴としている。
本発明の製造方法は、好ましくは、天板にシンク孔又はコンロ孔を形成する際に生じる端材から側板を成形し、或いは、天板を成形する工程で天板を所定寸法より長い寸法で成形して天板を所定寸法に切断したときに生じる余剰部分から側板を成形する。凹部の幅は側板の厚さに等しいことが見栄えの上で望ましい。
【発明の効果】
【００１０】
上記構成によれば、カウンターの側面を前垂れの部分と同じ厚さがあるように見せることができるので、カウンターを１枚の厚板のように見せ重厚感を呈させることができる。また、側板とカウンターとの接合境界線、すなわち継ぎ目がキッチン使用者の視野に入りにくいカウンターの側面に位置することになる。よって、簡単な構成により、カウンターの見栄えが向上する。
【００１１】
側板をカウンターのシンク孔又はコンロ孔を抜き加工したときに発生する端材から成形する場合には、材料ロスが低減すると共に、側板とカウンターの色ずれの発生が回避できる。また、側板をカウンターの余剰部分から成形する場合も同様である。これにより、カウンターと側板の一体感がより一層増すことになる。
【００１２】
カウンターの側端面に形成される凹部の幅が側板の厚さに等しい場合には、側板の上縁を凹部内に嵌入させることによって側板が凹部の内面に当接して位置決めされると共に、側板が凹部の内面に対しても接着等により接合されるので接合が容易に行なわれ、さらに接合強度が高められる。
【発明を実施するための最良の形態】
【００１３】
以下、図面に示した実施形態に基づいて本発明を詳細に説明する。
図１は本発明に係るカウンターを用いて構成したシステムキッチン１０の実施形態を示す斜視図である。システムキッチン１０はキャビネット１１上に載置されたキッチンカウンター１２を備えている。キャビネット１１は、図１に示すように、横方向に並設した複数個のキャビネット１１ａ，１１ｂ，・・・から構成されている。
【００１４】
キッチンカウンター１２は人造大理石から成り、図２に示すように、天板１２１と、この天板１２１の前縁から下方へ延出した前垂れ１２２と、天板１２１の後縁から起立したバックガード１２３と、を備えている。天板１２１と前垂れ１２２とバックガード１２３とは一体に形成されている。なお、天板１２１の前端部には上方へ膨出した水返し１２４が形成されている。
【００１５】
キッチンカウンター１２の端面は、図２（Ｂ）の底面図に示すように、天板１２１の側端面１２１ａと前垂れ１２２の側端面１２２ａとバックガード１２３の側端面１２３ａとが同一平面内に位置するように形成されている。これらの天板１２１の側端面１２１ａと前垂れ１２２の側端面１２２ａとに、図３に示すように、側板１３が面一になるように、天板１２１の端部α１の下側及び前垂れ１２２の端部α２の内側に接着又は溶着により接合されている。この側板１３は、天板１２１及び前垂れ１２２と同じ素材、即ち、同じ人造大理石の素材から切り出して構成されている。勿論、側板１３を、天板１２１と別個に製造して同じ又は同様の色調を呈するように加工した素材で形成してもよい。
また、この側板１３は、天板１２１の端部α１の下面から前垂れ１２２の下端まで垂下する程度の長さの縦幅Ｗ（図４（Ｃ）参照）を有するように設定されている。これにより、天板１２１の側端面１２１ａと前垂れ１２２の側端面１２２ａとの間で下方に形成される矩形状の空間が側板１３により完全に覆われ、しかも、この側板１３によって側端面１２１ａ及び側端面１２２ａとで同一面の垂直平面が形成されることになる。
【００１６】
キッチンカウンター１２の端、即ち側縁には、図４に示すように、側板１３を受容する凹部１２５が形成されている。この凹部１２５は、側板１３の外形形状に対応しており、天板１２１の端部α１の下側及び前垂れ１２２の端部α２の内側を切り欠くことにより形成されている。凹部１２５の幅ｄは側板１３の厚さとほぼ同じである。なお、凹部１２５は、側板１３の外形形状と同一であることが望ましいが、接合の際に接着剤等により補完されるので完全に同一である必要はない。本実施の形態では、側板１２５の厚みが上記凹部１２５の幅ｄに設定されていると共に、側板１２５の縦幅と横幅が凹部１２５の縦幅Ｗと横幅Ｌの寸法に対応する長さに設定されている。
【００１７】
次に、本実施形態に係るキッチンカウンター１２の製造方法について、図２〜図４を参照して説明する。
先ず、図２に示すように、前垂れ１２２及びバックガード１２３を有するキッチンカウンター１２を成形する。具体的には、成形型に樹脂と充填材及び硬化剤等を混合した樹脂コンパウンドを注入して成形する注型法やＢＭＣ（バルクモールディングコンパウンド）、ＳＭＣ（シートモールディングコンパウンド）という成形材料をプレスするプレス成形法等を用いることができる。
続いて、図４に示すように、キッチンカウンター１２の端を切削加工して、凹部１２５を形成する。その後、図３に示すように、側板１３を接着或いは溶着によってキッチンカウンター１２の凹部１２５に接合する。最後に、キッチンカウンター１２の端を側板１３と共に研磨加工する。これにより、側板１３が天板１２１の端面１２１ａ，前垂れ１２２の端面１２２ａと完全に同一平面となり、一体感が増すことになる。
以上で、側部に側板１３を備えたキッチンカウンター１２が完成する。
【００１８】
このように構成されたキッチンカウンター１２は側板１３が側面に取り付けられているので、キッチンカウンター１２を側面視した場合に、天板１２１が恰も前垂れ１２２の高さ程度の厚みを有する１枚の厚板のように見える。従って、キッチンカウンター１２の見栄えが向上する。
【００１９】
キッチンカウンター１２と側板１３との間の接合境界線としての継ぎ目２０は、図３に示すようにキッチンカウンター１２の側面に位置するので、システムキッチン１０の使用者等にはこの継ぎ目が目に付きにくく、見栄えが損なわれるようなことはない。
【００２０】
上述した側板１３は例えば図５に示すように成形される。即ち、システムキッチン１０がシンクを備える場合、図５（Ａ）に示すように、キッチンカウンター１２に対してシンク孔１２６の抜き加工を行う。その際、図５（Ｂ）に示すように、シンク孔１２６の抜き加工により端材１４が発生するので、この端材１４から鎖線で示すように側板１３を成形する。このようにして材料を有効に活用できる。
【００２１】
この場合、側板１３が製造対象のキッチンカウンター１２から抜き取った端材１４、即ち同じ素材から成形される。よって、別々に製造した人造大理石の部材を使用した場合に生じるような微妙な色ずれの発生を回避できる。なお、シンク孔１２６の端材１４に限らず、例えばシステムキッチン１０が加熱調理部を備えている場合には、加熱調理部を取り付けるための所謂コンロ孔の端材を利用して、側板１３を成形することもできる。
【００２２】
また、側板１３は、例えば図６に示すように成形されてもよい。即ち、図６において、キッチンカウンター１２は前以て所定寸法より長く成形されていて、途中の工程において鎖線で示す所定寸法に切断加工される。その際、余剰部分１５が発生するので、この余剰部分１５から側板１３を成形する。この場合も、キッチンカウンター１２と側板１３との色ずれが発生することはない。この製造方法は、シンクや加熱調理部を取り付けないカップボード等に好適である。
【００２３】
以上説明したが、本発明はその趣旨を逸脱しない範囲において様々な形態で実施することができる。例えば、上述した実施形態においてはキッチンカウンター１２の左側面のみについて説明したが、キッチンカウンター１２の右側面が開放している場合には右側面に本発明を適用することもできる。キッチンカウンター１２の任意の位置に、シンクや加熱調理部が設けられてもよいことは明白である。本発明のキッチンカウンターは、水返し１２４、バックガード１２３、凹部１２５を省略して構成することができる。図示例ではキャビネットは２個であるが、その数に限定されるものではない。また、本発明は、シンクを有するキッチンカウンター、シンクを備えないカウンターの何れにも適用可能である。
【図面の簡単な説明】
【００２４】
【図１】本発明の実施形態係るシステムキッチンを示す斜視図である。
【図２】図１のシステムキッチンにおける凹部加工前のキッチンカウンターを示し、（Ａ）は側面図、（Ｂ）は部分底面図である。
【図３】本発明の実施形態に係るキッチンカウンターに側板が接合した状態を示す部分斜視図である。
【図４】図２に示したカウンターの凹部加工後の状態を示し、（Ａ）は側面図，（Ｂ）は部分底面図、（Ｃ）は部分斜視図である。
【図５】図１のシステムキッチンにおける側板の第一の成形例を示し、（Ａ）はキッチンカウンターのシンク孔を、（Ｂ）はシンク孔の抜き加工による端材の平面図である。
【図６】図１のシステムキッチンにおける側板の第二の成形例によるキッチンカウンターの余剰部分を示す平面図である。
【符号の説明】
【００２５】
１０    システムキッチン
１１，１１ａ，１１ｂ  キャビネット
１２    キッチンカウンター
１２１  天板
１２１ａ，１２２ａ，１２３ａ  端面
１２２  前垂れ
１２３  バックガード
１２４  水返し
１２５  凹部
１３    側板
１４    端材
１５    余剰部分
α１，α２  端部
【図１】
2008173196.tif 000003
【図２】
2008173196.tif 000004
【図３】
2008173196.tif 000005
【図４】
2008173196.tif 000006
【図５】
2008173196.tif 000007
【図６】
2008173196.tif 000008